(57)【特許請求の範囲】
【請求項１】
衛生物品用閉止タブであって、
少なくとも１つの機械的締結手段を担持するように適合された領域と、いずれの締結手段も含まないフィンガーリフト部を形成するように適合された領域とを有する支持層と、
前記フィンガーリフト部に隣接する前記支持層の上に担持され、幅ｗ１を有する、第１の機械的締結手段と、
前記支持層の上に担持され、幅ｗ２を有し、分離距離ｄ１によって前記第１の機械的締結手段から分離される、第２の機械的締結手段と、
を備え、
前記フィンガーリフト部、前記第１の機械的締結手段、及び前記第２の機械的締結手段が、この順で、前記第１の機械的締結手段及び前記第２の機械的締結手段の幅方向に沿って配置され、
前記第１の機械的締結手段の幅ｗ１が、前記分離距離ｄ１を超え、前記第２の機械的締結手段の幅ｗ２が、前記第１の機械的締結手段の幅ｗ１を超える、閉止タブ。
【請求項２】
前記第１及び第２の機械的締結手段が、フック、ステム、又はカップ状の締結具を備え、前記第１及び第２の機械的締結手段が、毛羽立った不織布材料、押出し接合されたループ材料、ニットループ材料、及びバックシート材料へのフックのうちの１つに係合するように適合される、請求項１に記載の閉止タブ。
【請求項３】
前記第１の機械的締結手段の幅ｗ１と前記第２の機械的締結手段の幅ｗ２との合計が、７〜２２ｍｍの範囲である、請求項１又は２のいずれかに記載の閉止タブ。
【請求項４】
前記分離距離ｄ１が、０．２〜１．２ｍｍの範囲である、請求項１〜３のいずれか一項に記載の閉止タブ。
【発明の詳細な説明】
【技術分野】
【０００１】
本発明は、衛生物品用閉止タブに関し、特に機械的締結手段を使用する閉止タブに関する。
【背景技術】
【０００２】
衛生物品、特に使い捨ての衛生物品は、幼児用おむつ（diaper）（時には、おむつ（nappy）としても知られる）、婦人衛生物品（生理用タオル又はナプキン、及びパンティライナー等）、並びに成人用失禁衣料（例えば、失禁パッド及び使い捨て下着）を含む、様々な用途を有する。これらの物品のそれぞれは、液体及び他の排泄物を吸収及び／又は保持するように設計され、その物品が着用者の体に対して適切な位置に固定される必要性を通して有する。これは、その物品が着用者を囲むようにその物品をそれ自体に直接（幼児用おむつ及び使い捨て下着の場合）、又は衣料品に（婦人衛生物品及び成人用失禁パッドの場合）、あるいは使用者の皮膚に直接（婦人衛生物品及び失禁パッドの場合）接着させることによって、なされてもよい。
【０００３】
おむつ及び使い捨て下着などの衛生物品の場合、物品がそれ自体に直接接着可能にするために、閉止タブが頻繁に提供される。閉止タブは、使用者端部及び製造者端部に分けられた不織布材料の細長いストリップを一般的に含む。あるいは、閉止タブは、おむつなどの物品のイヤーパネルの一部を形成してもよく、これは、衛生物品の前方部又は後方部の１つの延長部であり、したがって、製造者端部はイヤーパネルと一体であるため、一般的に使用者端部のみを有する。使用者端部には、締結しない領域を一般的に含むフィンガーリフト部が提供され、タブが閉ざされ得る（衛生物品の表面とかみ合い、あるいは接着される）かつ開かれ得る（衛生物品の表面から解放される）ように、使用者が親指と人さし指との間の閉止タブをつかめるようにする。使用者端部の少なくとも１つの領域には、接着剤及び／又は機械的締結手段が提供され得る。更に、閉止タブの製造者端部は、締結しない領域であり、閉止タブが衛生物品にしっかりと固定されるように、提供される。これは、接着剤、又は熱若しくは超音波の溶接法によってであってもよい。不織布材料は、閉止タブの長さの部分又は全てに沿って強められてもよく、フィンガーリフト部は、使用者にとってより容易に衛生物品の表面から閉止タブの使用者端部を持ち上げさせるために、例えば扇形の縁を提供することによって成形されてもよい。
【０００４】
フィンガーリフトが衛生物品の使用者の利点を提供する１つの特定の状況は、衛生物品の表面から閉止タブの開放し、あるいは取り外しの間である。例えば、機械的締結手段が衛生物品に閉止タブを締結するように使用される場合、機械的締結手段の要素（フック、ステム、又はカップ状の突出）は、ランディング区域として使用される衛生物品の領域の繊維とかみ合うだろう。閉止タブを開放するために、使用者は、一定のレベルの力を提供し、ランディング区域の繊維から締結要素を取り外す。フィンガーリフト部に隣接する前縁及び製造者端部に隣接する後縁を有する閉止タブに提供された機械的締結手段の特定の幅のために、閉止タブを取り外すのに必要な力は、後縁が最終的に開放されるまで、前縁を解放するのに必要である初期値から徐々に増大する。したがって、使用者は、閉止タブが取り外される間、使用者が引っ張ることに対する増大した抵抗、かつ後縁が最終的に解放されるときに、突然の減少を経験する。これは、閉止タブが最初の段階で適切に固定されていなかったと使用者が感じ得ることを意味する。
【０００５】
取り外しの難しさ又は不適切な安全性のこの使用者知覚を低下させる１つの方法は、機械的締結手段を閉止タブの幅にわたって、かつ使用者端部の長さに沿って伸びるいくつかの領域に分けることである。これの一例は、米国特許第６，０３０，３７３号に記載されていることである。締結タブが、側面の間隔距離によって互いを分離された前縁及び後縁を有する使用者の接合部を含み、前縁及び後縁のそれぞれに固定機構（機械的締結手段など）を有する。側面の間隔距離は、閉止応力をより均等に分配するのに役立つ。同様の効果が、欧州特許第１  ６６３  ０９５  Ｂ１号に記載されており、フック締結材料が、おむつに提供されたイヤーパネルの表面に提供される。フック材料は、すき間によって分離される２つの領域に分けられる。すき間が締結材料の１つで生じられた誘発された応力の伝達を他の締結材料に減少させ、締結材料の１つがこの応力のために、分離され得る可能性を順に減少させることが提案される。同様に、欧州特許第０  ７５５  ６６５  Ａ１号は、これが意図せずに解放される締結の機会を減少させるように、単一の領域ではなく、フック及びループ締結材料の２つの領域の使用を記載する。
【発明の概要】
【発明が解決しようとする課題】
【０００６】
これらの明細書のそれぞれは、閉止タブが安全に締結されていないことがある、使用者の知覚の問題に対処する。しかしながら、十分に固定された閉止タブがランディング区域から完全に取り外され得る容易さの問題だけではなく、使用者が閉止タブを開放し、あるいは解放するのに必要な力をどのように知覚するか、かつ使用者が衛生物品が安全だとどの程度感じるかの否定的な影響をこれが有するかどうかの問題がまだある。
【課題を解決するための手段】
【０００７】
本発明は、衛生物品用閉止タブを提供することによってこれらの問題に対処することを目的とし、少なくとも１つの機械的締結手段及びフィンガーリフト部を形成するように適合された領域を担持するように適合された領域を有する支持層であって、フィンガーリフト部は、いずれの締結手段も含まないものと、フィンガーリフト部に隣接する支持層の上に担持され、幅ｗ１を有する第１の機械的締結手段と、支持層の上に担持され、幅ｗ２を有し、並びに分離距離ｄ１によって第１の機械的締結手段から分離された第２の機械的締結手段と、第１の機械的締結手段の幅ｗ１が分離距離ｄ１を超え、第２の機械的締結手段の幅ｗ２が第１の機械的締結手段の幅ｗ１を超えることを含む。
【０００８】
小さな分離距離（小さいというのは、分離距離が第１の機械的締結手段の幅より小さいことを示す）によって互いを分離された機械的締結手段の２つの領域を使用することによって、安全に締結されることを示す衛生物品用閉止タブを取り外し、あるいは開放しようとすると、使用者は、抵抗を経験する。加えて、機械的締結手段の２つの領域を提供することによって、締結手段がランディング区域の材料から最終的に解放されると、突然の引っ張りがないため、使用者は、タブがより容易に開放されると知覚する。機械的締結手段の非対称領域を提供することが最大の剥離力並びに剥離及び剪断力の分離の両方の知覚に有益な効果を有し、取り外し及び安全な締結の容易さの知覚を使用者に与える。
【０００９】
好ましくは、第１及び第２の機械的締結手段は、フック、ステム、又はカップ状の機械的締結要素を含む。好ましくは、第１及び第２の機械的締結手段は、毛羽立った不織布材料のうち１つ、押出し接合されたループ材料、ニットループ材料、及びバックシート材料へのフックに係合するように適合される。そのような機械的締結要素及びランディング区域の材料は、特に衛生物品の使用に好適である。
【００１０】
第１の機械的締結手段は、剥離力に抵抗するように最適化された機械的締結要素を含むこともあり、第２の機械的締結手段は、剪断力に抵抗するように最適化された機械的締結要素を含むこともある。機械的締結手段の締結要素の特性を最適化することによって、使用者の総合的な経験も最適化され得る。
【００１１】
第１の機械的締結手段の幅ｗ１と第２の機械的締結手段の幅ｗ２の合計は、好ましくは、７〜２２ｍｍの距離範囲になる。分離距離ｄ１は、好ましくは、０．５〜１．０ｍｍの距離範囲になる。そのような距離範囲は、使用者によって経験される衛生物品用閉止タブの望ましい感触及び反応を作り出すのに特に有効である。
【００１２】
衛生物品用閉止タブは、支持層の上に担持され、幅ｗ３を有し、並びに分離距離ｄ２によって第２の機械的締結手段から分離された第３の機械的締結手段を更に含む。機械的締結手段の領域数を増加することは、初期の剥離力及び使用者が衛生物品用閉止タブを開放し、あるいは取り外しできる容易さの両方を高めるために使用され得る。好ましくは、第３の機械的締結手段の幅ｗ３は、第２の機械的締結手段の幅ｗ２に等しい。あるいは、第３の機械的締結手段の幅ｗ３は、第２の機械的締結手段の幅ｗ２と等しくない。第１と第２の機械的締結手段との間の分離距離ｄ１は、第２と第３の機械的締結手段との間の分離距離ｄ２と等しくなり得る。また、支持層の上に担持され、幅ｗ４を有し、並びに分離距離ｄ３によって第２の機械的締結手段から分離される、第４の機械的締結手段が提供され得る。これらの選択は、取り外し、あるいは開放するのに容易である安全に締結された衛生物品用閉止タブの知覚を使用者が有することを更に確保する間に、衛生物品用閉止タブの設計の総合的な柔軟性を与える。
【００１３】
支持層は、不織布材料層及び接着剤層を含み得る。この構成体は、タブが、例えば幼児用おむつなどの物品それ自体に独立して形成される衛生物品に特に好適である。あるいは、支持層は、衛生物品のバックシート材料によって形成されてもよい。衛生物品用閉止タブを形成するためのバックシート材料を活用することによって、閉止機構が、例えばいくつかのおむつ構造又は女性用衛生物品などの物品の部品として一般的に形成される衛生物品用閉止タブとして発明に適用することが可能である。
【図面の簡単な説明】
【００１４】
本発明を単なる例示としてかつ添付図面を参照して説明する。
【図１】本発明の第１の実施形態に従う、衛生物品用閉止タブに機械的締結手段の位置決めする概略図。
【図２】本発明の第２の実施形態に従う、衛生物品用閉止タブに機械的締結手段の位置決めする概略図。
【図３】従来の衛生物品用閉止タブと比較される本発明の第１の実施形態に従う、衛生物品用閉止タブを開放し、あるいは解放するのに必要な剥離力を示す線図。
【図４】機械的締結手段の異なる幅及び異なる分離距離の衛生物品用閉止タブを開放し、あるいは解放するのに必要なピーク剥離力を示す線図。
【図５】本発明の第３の実施形態に従う、衛生物品用閉止タブに機械的締結手段の位置決めする概略図。
【図６】本発明の第４の実施形態に従う、衛生物品用閉止タブに機械的締結手段の位置決めする概略図。
【発明を実施するための形態】
【００１５】
本発明において、衛生物品用閉止タブに提供される機械的締結方法の幅を注意深く選択することによって、１つの締結手段の危険性が不注意に解放されるだけでなく、すなわち、閉止タブが衛生物品にどの程度固定されるかという使用者の知覚が低下されるだけでなく、閉止タブを開放し、あるいは解放するのに必要な力の量の使用者の知覚が変化されることが理解される。本発明の第１及び第２の実施形態に従う、衛生物品用閉止タブは、特に失禁パッド機能を有する幼児用おむつ及び使い捨て下着などの衛生物品の使用に特に好適である。これらの実施形態のそれぞれにおいて、閉止タブは、細長いストリップに関して記載されるが、それぞれの実施形態は、細長いストリップが取り付けられないが、イヤーパネルそれ自体に機械的締結手段が直接取り付けられる、イヤーパネル部を有する衛生物品に関連して使用され得ることが当業者に明白である。これは、本発明の第３の実施形態と類似し、機械的締結手段が固定されるイヤーパネルを有する翼部を含む女性用衛生物品の使用に特に適しており（限定されない）、したがって、衛生物品用閉止タブは衛生物品と一体である。本発明の第４の実施形態は、衛生物品には、翼又は他の同様の部分が備えられないことが特に好適であり、衛生物品用閉止タブは、パンティライナーなどの例えば女性用衛生物品の衛生物品のバックシート材料と有効に一体である。
【００１６】
図１は、本発明の第１の実施形態に従う、衛生物品用閉止タブに機械的締結手段の位置決めする概略図である。この図は、衛生物品用閉止タブの下面であり、機械的締結手段を示す。衛生物品用閉止タブ１は、細長いストリップの形態であり、２つの反対側の長辺及び２つの反対側の短辺を有し、不織布材料の層（図示せず）を支える支持層から形成される。衛生物品用閉止タブ１には、使用者端部２及び製造者端部３が提供される。使用者端部２は、フィンガーリフト部４を含み、扇形の縁、支持層の上に担持される第１の機械的締結手段５、及び支持層の上に担持される第２の機械的締結手段６を有する。第１の５及び第２の６の機械的締結手段のそれぞれは、衛生物品用閉止タブの幅にわたり、衛生物品の細長いストリップの反対側の短辺に沿って縁を有する。第１の機械的締結手段５は、幅ｗ１を有し、第２の機械的締結手段５は、幅ｗ２を有し、第２の機械的締結手段６の幅ｗ２は、第１の機械的締結手段の幅ｗ１を超える。第１の５及び第２の６の機械的締結手段は、分離距離ｄ１によって分離される。この実施形態において、第１の締結手段６の幅ｗ１は、分離距離６ｄ１を超える。分離距離ｄ１を最小化することによって、機械的締結手段を使用しない表面積の割合が最小化されるが、２つの別個の機械的締結手段を提供する効果が維持される。機械的締結手段の幅及び分離距離は、更に以下で詳述されるように、最適化されてもよい。
【００１７】
図２は、本発明の第２の実施形態に従う、衛生物品用閉止タブに機械的締結手段の位置決めする概略図である。この図は、衛生物品用閉止タブの下面であり、機械的締結手段を示す。衛生物品用閉止タブ７は、細長いストリップの形態であり、２つの反対側の長辺及び２つの反対側の短辺を有し、不織布材料の層（図示せず）を支える支持層から形成される。衛生物品用閉止タブ７には、使用者端部８及び製造者端部９が提供される。使用者端部８は、フィンガーリフト部１０を含み、扇形の縁、支持層の上に担持される第１の機械的締結手段１１、支持層の上に担持される第２の機械的締結手段１２、及び支持層の上に担持される第３の締結手段１３を有する。第１の１１及び第２の１２の機械的締結手段のそれぞれは、衛生物品用閉止タブの幅にわたり、細長いストリップの反対側の短辺に沿って縁を有する。第１の機械的締結手段１１は、幅ｗ１を有し、第２の機械的締結手段１２は、幅ｗ２を有し、第２の機械的締結手段１２の幅ｗ２は、第１の機械的締結手段の幅ｗ１を超える。第３の機械的締結手段１３は、幅ｗ３を有し、第３の締結手段の幅ｗ３は、第１の締結手段１１の幅ｗ１を超えるが、この実施形態において、第２の締結手段１２の幅ｗ２と等しい。また、第１の１１及び第２の１２の機械的締結手段は、分離距離ｄ１によって分離され、この実施形態において、第２の機械的締結手段１２は、分離距離ｄ２によって第３の機械的締結手段から分離される。第一の締結手段１１の幅ｗ１、第２の締結手段１２の幅ｗ２、及び第３の締結手段１３の幅ｗ３は、分離距離ｄ１を超え、分離距離ｄ２を超える。２つの分離距離ｄ１及びｄ２は実質的に互いに等しい。第３の機械的締結手段の幅ｗ３は、この実施形態において、第２の機械的締結手段の幅ｗ２と実質的に等しいが、選択されるランディング区域材料及び機械的締結手段に応じて、より狭く又はより広くなるように選択されてもよい。また、機械的締結手段の幅及び第２の分離距離は、以下に記載されるように、最適化されてもよい。幅ｗ４を有し、かつ分離距離ｄ３によって第３の機械的締結手段から分離される、第４の機械的締結手段も含まれ得る。２つの分離距離ｄ２及びｄ３は、実質的に互いに等しい。第４の機械的締結手段の幅ｗ４は、この実施形態において、第３の機械的締結手段の幅ｗ３と実質的に等しいが、選択されるランディング区域材料及び機械的締結手段に応じて、より狭く又はより広くなるように選択されてもよい。更に、機械的締結手段の幅及び第２の分離距離は、以下に記載されるように、最適化されてもよい。
【００１８】
図３は、従来の衛生物品用閉止タブ（実線）と比較される本発明の第１の実施形態（薄い線）に従う、衛生物品用閉止タブを開放し、あるいは解放するのに必要な剥離力を示す線図である。線図は、Ｙ軸に沿う力（Ｎで示す）及びＸ軸に沿う支持材料（距離としてｍｍで示す）から取り外される機械的締結手段の幅を示す。本発明の第１の実施形態に従う、衛生物品用閉止タブが、粘着性のコーティングされた不織布支持層に接着させたＣＨＫ−０２２２０フック（３Ｍ  Ｃｏｍｐａｎｙ，３Ｍ  Ｃｅｎｔｅｒ，Ｓｔ．Ｐａｕｌ，ＭＮ  ５５１４４−１０００，ＵＳＡから入手可能）を含む２つの機械的締結手段を提供することによって形成された。カバー層が、フィンガーリフト部を作り出すために衛生物品用閉止タブの使用者端部に提供される。第１の締結手段は、フィンガーリフト部に隣接して位置付けられ、３ｍｍの幅ｗ１を有し、並びに１０ｍｍの幅ｗ２を有する第２の機械的締結手段から０．５ｍｍの分離距離ｄ１によって分離される。従来の衛生物品用閉止タブは、１３ｍｍの幅を有する単一の機械的締結手段を備えるが、同じ基礎構成体であった。それぞれの衛生物品用閉止タブは、押出し接合されたループ材料（３Ｍ  Ｃｏｍｐａｎｙ，３Ｍ  Ｃｅｎｔｅｒ，Ｓｔ．Ｐａｕｌ，ＭＮ  ５５１４４−１０００，ＵＳＡから入手可能なＥＢＬ−Ｓｏｆｔ）から形成されるランディング区域に取り付けられ、引張試験機の１８０°の剥離力にさらされた。最初に、試料は、表面にわたって転がされた２ｋｇの重しを使用してランディング区域材料に圧力がかけられ、１ｋｇの重しを積まれた試料は、１０秒間垂直に吊るされた。試料の両端は、引張試験機に取り付けられ、Ｔ剥離モード１８０°の引張試験を生じさせた。剥離力試験は、８回繰り返され、平均が図３に示される曲線を生成するように得られた。
【００１９】
図３は、従来の衛生物品用閉止タブにとって、機械的締結手段がランディング区域から取り外されるように、剥離力の一定の増大が実質的に必要とされると例示する。これは、取り外しが難しいという印象を衛生物品用閉止タブの使用者に与え、完全に解放するまで増加する力が必要であるとき、衛生物品用閉止タブがランディング区域から外れて突然引っ張られると、使用者は、増大な力が適用される必要がない時点に気付かないため、不快感がある。逆に、使用者は、衛生物品用閉止タブを取り外しするのに必要とされる初期の力が比較的低いように、衛生物品用閉止タブが必ずしも安全に締結されない印象を得てもよい。
【００２０】
また、図３は、第１の実施形態に従う衛生物品用閉止タブにとって、必要とされる剥離力の量が効率的に２つの段階にあり、第１の段階は、従来の衛生物品用閉止タブと比較されると、剥離力のより大きな割合の増加を有し、第２の段階は、第１の領域と比較すると、剥離力のより小さな割合の増加を有することを例示する。これらの２つの領域は、第１と第２の機械的締結手段との間の分離距離によって占められる剥離力の低下によって分離される。短い剥離距離を超えて最初に経験される剥離力のより大きな割合の増加を有することによって、それが開放処理を始めるために実質的な適用された力を必要とするように、使用者は、衛生物品用閉止タブが安全に締結されることを即座に感じる。衛生物品用閉止タブが取り外されるまで、剥離力のより小さな割合の増加に続いて剥離力の低下があることを確保することによって、衛生物品用閉止タブがランディング区域に固く閉ざされ、あるいは固定されると認められるような事実が主であるため、使用者は、衛生物品用閉止タブに関する同様の突然の解放を経験しない。これは、第１の機械的締結手段の幅ｗ１が分離距離ｄ１を超え、第２の機械的締結手段の幅ｗ２が第１の機械的締結手段の幅ｗ１を超えることを確保にすることによって達成できる。
【００２１】
いかなる特定の理論にも束縛されるものではないが、異なる幅を有する２つの機械的締結手段及び分離距離によって分離される提供は、衛生物品用閉止タブを開放する使用者によって提供される２つの異なる種類の力があることを生じ得る。最初に、使用者は、ランディング区域と接触するときに、剥離力、即ち衛生物品用閉止タブの平面にほぼ垂直の方向の力を提供することが必要である。この垂直の力によって、第１の機械的締結手段の前縁で機械的締結要素がランディング区域の材料との係合を解除される。第１の機械的締結手段の幅ｗ１は、衛生物品用閉止タブの前縁と後縁との間の全幅と比較して比較的小さいように、ほぼ全ての第１機械的締結手段が、垂直の力を適用することによって取り外される。第１の機械的締結手段全体がランディング区域から取り外される時点で、適用された力の低下が第１と第２の機械的締結手段との間の分離距離で経験される。小さな垂直な力が第２の機械的締結手段の機械的締結要素の第１の列を解放するために最初に必要とされるが、大部分の力が、即ち剪断力が、ランディング区域と接触するときに、衛生物品用閉止タブの平面と平行の方向に使用者によって自然に適用される。従来の衛生物品用閉止タブにおいて、垂直の剥離力がランディング区域からの機械的締結要素を開放するために最初に適用され、平行な剪断力が続く。剥離力の必要性とそれに続く剪断力の必要性との間の明白な違いはなく、使用者が垂直かつ平行な力の組み合わせによって衛生物品用閉止タブをランディング区域から同時に引き剥がそうとする結果になる。これは、衛生物品用閉止タブが取り外し、あるいは開放するのにますます難しくなる印象を与えるが、安全に締結され、又は閉ざされなくてもよい。
【００２２】
第１と第２の機械的締結手段との間の分離距離の役割は、衛生物品用閉止タブが安全に締結され、又は閉ざされる印象を使用者に提供する鍵でもあるが、開放し、あるいは取り外しすることが容易である。最初に、垂直な力が適用されるように、使用者は、開放処理の運動量を高め、第１の機械的締結手段がランディング区域から完全に解放される時点で自然に止める。しかしながら、この運動量を完全に失わないために、第２の機械的締結手段の機械的締結要素の第１の列は、同様の垂直に適用された力によってランディング区域の材料から容易に取り外されるように、分離距離があまりにも大きくないことが重要である。次に、これは、平行な剪断力への円滑な移行を確保し、ランディング区域の材料から第２の機械的締結手段の残部を解放する。分離距離があまりにも大きい場合、本発明の第１の実施形態に従う、衛生物品用閉止タブの図３に示される第１と第２の先端との間の適用された剥離力の低下は、より大きくなり、第２の機械的締結手段がランディング区域の表面からタブを解放するためのある種の牽引運動を必要とする知覚を使用者に与える。分離距離があまりにも小さい場合、使用者は、使用中に関連した知覚とともに、従来の衛生物品用閉止タブに関して必要とされる力の同様な増加率を経験する。分離距離の好ましい範囲の実験的な決定は、これが０．５ｍｍ〜１．０ｍｍの間であることを示す。
【００２３】
この好ましい範囲は、図４に示されるデータによって更に図示される。図４は、機械的締結手段の異なる幅及び異なる分離距離の衛生物品用閉止タブを開放し、あるいは解放するのに必要とされるピーク剥離力を示す線図である。薄層状の支持材料（４２ｇ／ｍ２スパンボンドの不織布材料の層及び２０ｇ／ｍ２ポリプロピレン／ポリエチレンのコポリマーの層）を含み、ポリプロピレンのフック（１００ｇ／ｍ２ベース重みを有する）を担持し、接着テープを使用する支持材料に取り付けられる２５ｍｍ幅の試験ストリップが、９０°引張試験にさらされた。最初に、試料が、接着テープを使用して、金属ベースプレートに取り付けられたニットループのランディング区域に設置され、フックとループ材料との間のかみ合わせを達成するために２ｋｇのローラープレスを使用して転がされた。２秒間の１ｋｇの重しによって提供される水平の引張力を含む剪断力処置が実行され、ニットループランディング区域から試験ストリップを取り外すための牽引速度３００ｍｍ／ｍｉｎの引張試験が続く。それぞれの試験試料の約２０ｍｍの総締結領域幅が、フック領域と分離距離との組み合わせを使用して作られた。幅及び分離距離の以下の値が使用された：
【００２４】
【表１】
0005856158.tif 000002
【００２５】
それぞれの幅ｗとそれぞれの分離距離ｄとを組み合わせる試料が測定された。ループ材料（２５ｍｍ幅当たりＮを単位として）からの試料を剥がすのに必要とされるピーク力が記録された。これらの結果から、分離距離ｄの最適値は、１ｍｍであり、分離距離が機械的締結手段のそれぞれの幅ｗ増加するように、ピーク力が減少する。
【００２６】
加えて、衛生物品用閉止タブを容易に取り替えることができるために、第１の機械的締結手段の幅ｗ１と第２の機械的締結手段の幅ｗ２の合計が、７〜２２ｍｍの範囲であることが好ましい。第１の機械的締結手段の幅ｗ１の好ましい範囲が、１．０ｍｍ〜５．０ｍｍの間であり、第２の機械的締結手段の幅ｗ２の好ましい範囲が、５．０ｍｍ〜１８．０ｍｍの間である。
【００２７】
好ましくは、第１及び第２の機械的締結手段が、フック、ステム、カップ状の機械的締結要素を含む。第１及び第２の機械的締結手段の両方が、同様の機械的締結要素を有することは必要ない。例えば、上述された衛生物品用閉止タブに適用される異なる種類の力の考慮の結果として、第１の機械的締結手段は、剥離力に抵抗するのに最適化された機械的締結要素を含んでもよく、第２の機械的締結手段は、剪断力に抵抗するのに最適化された機械的締結要素を含んでもよい。これは、機械的締結要素の特定の形状を選択すること、又は機械的締結要素を形成するのに使用される材料を最適化することによって達成されてもよい。ランディング区域は、毛羽立った不織布材料、押出し接合のループ材料、ニットループ材料、及びバックシート材料へのフックなどの材料から形成されてもよく、機械的締結手段は、選択された材料と係合するように適合される。衛生物品用閉止タブの好適な支持層は、不織布材料層及び接着剤層を含む。これは、例えば、１つの面の上に接着剤層を有する不織布テープ材料であってもよい。あるいは、支持層は、ポリプロピレンのフィルム又は配合物、若しくはポリプロピレン及びポリエチレン（ＰＰ及びＰＥ）材料を含むフィルムなどの熱可塑性プラスチックフィルムに基づくテープであってもよい。
【００２８】
本発明の上記２つの実施形態において、衛生物品用閉止タブは、直接おむつのバックシート、又はバックシート及びフロントシート材料の延長によって提供されるイヤーパネルのいずれかを、おむつなどの衛生物品に固定されるタブとして使用するために設計される。しかしながら、本発明の第３の実施形態において、異なる幅を有し、分離距離によって分離される第１及び第２の機械的締結手段の使用は、翼部を含む生理用ナプキンなどの他の衛生物品、別個の閉止タブが提供されないイヤーパネルを備えるおむつに適用されてもよいことが想定される。これらの状況のそれぞれにおいて、衛生物品用閉止タブは、衛生物品それ自体と一体である。
【００２９】
図５は、本発明の第３の実施形態に従う、衛生物品用閉止タブ上の機械的締結手段の位置決めの概略図である。これは、バックシート最上に備える翼部を有する生理用ナプキンなどの女性用衛生物品の図を示す。反対側の長手方向の辺１５、１６、及び反対側の横断の辺１７、１８を有する形状の概ね細長い生理用ナプキン１４には、第１の翼部１９及び第２の翼部２０が提供され、それぞれが、それぞれの反対側の長手方向の辺１５、１６のほぼ中間に位置付けされる。それぞれの翼部１９、２０は、フロントシート及びバックシート材料の延長から形成され、吸収性コア（図示せず）が生理用ナプキン１４の中央領域のフロントシートとバックシートとの間に提供される。第１の翼部１９及び第２の翼部２０のそれぞれには、第１の機械的締結手段２１、２３、及び第２の機械的締結手段２２、２４が提供され、第１の機械的締結手段２１、２３は、幅ｗ１を有し、第２の機械的締結手段２２、２４は、幅ｗ２を有し、分離距離ｄ１によって分離される。他のあらゆる点において、第１の機械的締結手段２１、２３、第２の機械的締結手段２２、２４、並びに分離距離ｄ１は、上述された本発明の第１及び第２の実施形態に関して記載されるように同じものである。この例において、それぞれの翼部１９、２０は、機械的な締結手段によって着用者の下着のガセットの下面にしっかりと固定されてもよい。しかしながら、翼部１９、２０のうちの１つのみには、機械的締結手段が提供されることが望ましくてもよく、他の翼のフロントシート材料は、ランディング区域として使用され、翼は、使用中に生理用ナプキンを固定するために重なり、係合する。
【００３０】
図６は、本発明の第４の実施形態に従う、衛生物品の上に機械的締結手段の位置決めの概略図である。これは、バックシートの最上に備える翼部を有する生理用ナプキンなどの女性用衛生物品の図を示すが、実施形態は、おむつのイヤーパネルに同じように簡易に適用されてもよい。反対側の長手方向の辺２６、２７、及び反対側の横断の辺２８、２９を有する形状の概ね細長い生理用ナプキン２５。バックシートには、第１の機械的締結手段３１、３３、第２の機械的締結手段３１、３３が提供され、第１の機械的締結手段３１、３３は、幅ｗ１を有し、第２の機械的締結手段３１、３３は、幅ｗ２を有し、分離距離ｄ１によって分離される。他のあらゆる点において、第１の機械的締結手段３０、３２、第２の機械的締結手段３１、３３並びに分離距離ｄ１は、上述された本発明の第１及び第２の実施形態に関して記載されるように同じものである。着用者の衣類に衛生物品を固定するために、機械的締結手段は、着用者の下着のガセットの内側に係合する。
【００３１】
本発明の第３及び第４の実施形態の両方において、機械的締結手段は、衛生物品の取り外しの方向に垂直になるように位置決めされ、本発明の第１及び第２の実施形態に関連して上述されるように、同様の加力及び知覚効果を活用する。例えば、本発明の第４の実施形態において、衛生物品は、物品の上部縁（横断の辺２８）から始めて、衣類から剥がすことによって取り外される。しかしながら、使用者が長手方向の縁２６、２７のうちの１つを取り外すことによって衣類から衛生物品を剥がせることがより望ましい場合、機械的締結手段３０、３１、３２、３３は、第１の機械的締結手段３０、３２が第２の機械的締結手段３１、３３の前に、衣類から常に取り外されるように、選択される縁と平行に位置決めされる。同様に、図６は、生理用ナプキンの上の両位置に同一であるように、第１の機械的締結手段３０、３２、及び第２の機械的締結手段３１、３３の配置を示すが、配置が生理用ナプキンの中央にわたって水平に通過する反射の線を備えるそれぞれの鏡像として位置決めされることが望ましくてもよい。これは、第２の機械的締結手段３１、３３の両方を互いの最も近くにさせ、第１の機械的締結手段３０、３２の両方を反対側の横断の辺２８、２９に隣接させる。
【００３２】
また、本発明の第２の実施形態に関して上述された第３及び第４の機械的締結手段などの追加の機械的締結手段を使用する概念は、同じような方法で第３及び第４の実施形態まで広げられ得る。例えば、幅ｗ３を有し、分離距離ｄ２によって第２の機械的締結手段から分離される、第３の機械的締結手段が、バックシートの上、又は翼部の上のいずれかに提供されてもよい。幅ｗ４を有し、分離距離ｄ３によって第３の機械的締結手段から分離される、第４の機械的締結手段が提供されてもよい。本発明の実施態様の一部を以下の項目［１］−［１３］に記載する。
［１］
衛生物品用閉止タブであって、
少なくとも１つの機械的締結手段を担持するように適合された領域と、いずれの締結手段も含まないフィンガーリフト部を形成するように適合された領域とを有する支持層と、
前記フィンガーリフト部に隣接する前記支持層の上に担持され、幅ｗ１を有する、第１の機械的締結手段と、
前記支持層の上に担持され、幅ｗ２を有し、分離距離ｄ１によって前記第１の機械的締結手段から分離される、第２の機械的締結手段と、
を備え、
前記第１の機械的締結手段の幅ｗ１が、前記分離距離ｄ１を超え、前記第２の機械的締結手段の幅ｗ２が、前記第１の機械的締結手段の幅ｗ１を超える、閉止タブ。
［２］
前記第１及び第２の機械的締結手段が、フック、ステム、又はカップ状の締結具を備える、項目１に記載の閉止タブ。
［３］
前記第１及び第２の機械的締結手段が、毛羽立った不織布材料、押出し接合されたループ材料、ニットループ材料、及びバックシート材料へのフックのうちの１つに係合するように適合される、項目１又は２に記載の閉止タブ。
［４］
前記第１の機械的締結手段が、剥離力に抵抗するように最適化される締結具を備え、前記第２の機械的締結手段が、剪断力に抵抗するように最適化される締結具を備える、項目１〜３のいずれか一項に記載の閉止タブ。
［５］
前記第１の機械的締結手段の幅ｗ１と前記第２の機械的締結手段の幅ｗ２との合計が、７〜２２ｍｍの範囲である、項目１〜４のいずれか一項に記載の閉止タブ。
［６］
前記分離距離ｄ１が、０．２〜１．２ｍｍの範囲である、項目１〜５のいずれか一項に記載の閉止タブ。
［７］
前記支持層の上に担持され、幅ｗ３を有し、分離距離ｄ２によって前記第２の機械的締結手段から分離される、第３の機械的締結手段を更に備える、項目１〜６のいずれか一項に記載の閉止タブ。
［８］
前記第３の機械的締結手段の幅ｗ３が、前記第２の機械的締結手段の幅ｗ２と等しい、項目７に記載の閉止タブ。
［９］
前記第３の機械的締結手段の幅ｗ３が、前記第２の機械的締結手段の幅ｗ２と等しくない、項目７に記載の閉止タブ。
［１０］
前記第１の機械的締結手段と前記第２の機械的締結手段との間の分離距離ｄ１が、前記第２の機械的締結手段と前記第３の機械的締結手段との間の分離距離ｄ２に等しい、項目７、８、又は９に記載の閉止タブ。
［１１］
前記支持層の上に担持され、幅ｗ４を有し、分離距離ｄ３によって前記第２の機械的締結手段から分離される、第４の機械的締結手段を更に備える、項目１〜１０のいずれか一項に記載の閉止タブ。
［１２］
前記支持層が、不織布材料層及び接着剤層を備える、項目１〜１１のいずれか一項に記載の閉止タブ。
［１３］
前記支持層が、衛生物品のバックシート材料によって形成される、項目１〜１２のいずれか一項に記載の閉止タブ。
【図１】
0005856158.tif 000003
【図２】
0005856158.tif 000004
【図３】
0005856158.tif 000005
【図４】
0005856158.tif 000006
【図５】
0005856158.tif 000007
【図６】
0005856158.tif 000008